(57)【特許請求の範囲】
【請求項１】
移動局と基地局を有する無線通信システムであって、
前記移動局が、ランダムアクセスチャネルでプリアンブルの送信を開始してから、前記プリアンブルに対応するインデックスを含むランダムアクセス応答を受信するまでに要した前記プリアンブルの送信回数を、前記基地局へ送信する手段を有し、
前記基地局が、前記移動局に対して前記プリアンブルの送信回数の報告を要求する報告要求（Report request）を送信する手段を有し、
前記基地局が検出した前記プリアンブルを送信した前記移動局に、個別で、前記プリアンブルの送信回数の報告を要求し、
前記移動局が前記報告要求を受信した場合のみ、前記プリアンブルの送信回数を前記基地局へ送信することを特徴とする無線通信システム。
【請求項２】
前記基地局が、Ｃｏｎｔｅｎｔｉｏｎ  Ｒｅｓｏｌｕｔｉｏｎを前記移動局に送信後の下り信号で、前記報告要求を送信する、請求項１に記載の無線通信システム。
【請求項３】
ランダムアクセスチャネルでプリアンブルを送信する手段と、
前記プリアンブルの送信を開始してから前記プリアンブルに対応するインデックスを含むランダムアクセス応答を受信するまでに要した前記プリアンブルの送信回数を、基地局に報告する手段と、
前記基地局から報告要求を受信する手段と、を有し、
前記ランダムアクセス応答を受信した後に、前記報告要求を受信した場合のみ、前記プリアンブルの送信回数を前記基地局へ報告する、移動局。
【請求項４】
前記基地局から、Ｃｏｎｔｅｎｔｉｏｎ  Ｒｅｓｏｌｕｔｉｏｎを受信した後の下り信号で、前記報告要求を受信する、請求項３に記載の移動局。
【請求項５】
移動局からランダムアクセスチャネルで送信されるプリアンブルを検出する手段と、
検出した前記プリアンブルを送信した前記移動局に、前記プリアンブルに対応するインデックスを含むランダムアクセス応答を送信する手段と、
前記プリアンブルの送信を開始してから前記ランダムアクセス応答を受信するまでに要した前記プリアンブルの送信回数の報告を前記移動局に要求する手段と、を有し、
前記プリアンブルの送信回数の報告を要求する移動局のみに、移動局毎に個別に報告要求を行い、
前記移動局から前記プリアンブルの送信回数を受信することを特徴とする基地局。
【請求項６】
前記移動局に、Ｃｏｎｔｅｎｔｉｏｎ  Ｒｅｓｏｌｕｔｉｏｎを送信した後の下り信号で、前記報告要求を送信する、請求項５に記載の基地局。
【請求項７】
移動局と基地局を有する無線通信システムにおける方法であって、
前記移動局が、ランダムアクセスチャネルでプリアンブルの送信を開始してから、前記プリアンブルに対応するインデックスを含むランダムアクセス応答を受信するまでに要した前記プリアンブルの送信回数を、前記基地局へ送信するステップと、
前記基地局が、前記移動局に対して前記プリアンブルの送信回数の報告を要求する報告要求（Report request）を送信するステップと、
前記基地局が検出した前記プリアンブルを送信した前記移動局に、個別で、前記プリアンブルの送信回数の報告を要求するステップと、
前記移動局が前記報告要求を受信した場合のみ、前記プリアンブルの送信回数を前記基地局へ送信するステップと、からなる無線通信方法。
【請求項８】
前記基地局が、Ｃｏｎｔｅｎｔｉｏｎ  Ｒｅｓｏｌｕｔｉｏｎを前記移動局に送信後の下り信号で、前記報告要求を送信する、請求項７に記載の無線通信方法。
【請求項９】
移動局が、ランダムアクセスチャネルでプリアンブルを送信し、
前記移動局が、前記プリアンブルに対応するインデックスを含むランダムアクセス応答を基地局から受信し、前記基地局からの報告要求を受信した場合のみ、前記プリアンブルの送信を開始してから前記ランダムアクセス応答を受信するまでに要した前記プリアンブルの送信回数を、基地局に報告する
無線通信方法。
【請求項１０】
前記基地局から、Ｃｏｎｔｅｎｔｉｏｎ  Ｒｅｓｏｌｕｔｉｏｎを受信した後の下り信号で、前記報告要求を受信する、請求項９に記載の無線通信方法。
【請求項１１】
基地局が、移動局からランダムアクセスチャネルで送信されるプリアンブルを検出し、検出した前記プリアンブルを送信した前記移動局に、前記プリアンブルに対応するインデックスを含むランダムアクセス応答を送信し、
前記基地局が、前記プリアンブルの送信を開始してから前記ランダムアクセス応答を受信するまでに要した前記プリアンブルの送信回数の報告を要求する移動局のみに、移動局毎に個別に報告要求を行い、
前記基地局が、前記移動局から前記プリアンブルの送信回数を受信する
無線通信方法。
【請求項１２】
前記移動局に、Ｃｏｎｔｅｎｔｉｏｎ  Ｒｅｓｏｌｕｔｉｏｎを送信した後の下り信号で、前記報告要求を送信する、請求項１１に記載の無線通信方法。
【発明の詳細な説明】
【技術分野】
【０００１】
本発明は無線通信システム、移動局、基地局及び無線通信方法に関する。
【背景技術】
【０００２】
3GPP UMTS/LTEにおけるＲＡＣＨ（Random Access Channel）の送信電力は、基地局が指定する電力オフセット、またはセル内共通の固定電力値に基づいて決定される。しかし、基地局は、ＲＡＣＨを正しく受信して初めて移動局がＲＡＣＨで基地局への接続を試みていたことを認識できる。そのため、基地局が移動局からのRACHを正しく受信できていない場合には、移動局から基地局へのＲＡＣＨの送信の状況に応じた送信電力制御はできなかった。
【０００３】
そこで、移動局がＲＡＣＨにおける送信遅延推測情報をプリアンブルまたはデータとともに送信し、基地局が送信された送信遅延推測情報に従いＲＡＣＨの送信電力を設定するための指定値を決定する技術が提案されている（特許文献１）。尚、送信遅延推測情報は、データ又はプリアンブルの送信回数又は再送回数、あるいはデータ又はプリアンブルの初回送信時からの経過時間、あるいはデータ又はプリアンブルの初回送信時のタイミング等である。尚、プリアンブルとは、基地局が既知なビットパターンを送信するものであり、ユーザデータや制御信号など基地局において既知でない信号は送信しない。
【０００４】
以下、本発明に関連する特許文献１の技術を、現在３ＧＰＰにおいて検討中であるＥ−ＵＴＲＡシステムに適用した場合について説明する。
【０００５】
図２２は、本発明に関連する特許文献１が適用されるシステムの概念図である。特許文献１の技術では、複数の基地局が隣接して存在し、各基地局には複数の移動局が下り回線や上り回線のデータ送受信を行っており、下り回線はＯＦＤＭ（Orthogonal Frequency Division Multiple Access）、上り回線はSC-ＦＤＭＡ（Single-Carrier Frequency Division Multiple Access）を用いている。また、移動局及び基地局は、それぞれのメモリに格納された制御プログラムによって、以下に説明する各機能を実現する。
【０００６】
基地局は下り回線において、システム情報など報知情報を送信する報知チャネル（ＢＣＨ：Broadcast Channel）、パイロット信号を送信する共通パイロットチャネル（ＣＰＩＣＨ：Common Pilot Channel）、上り回線におけるデータ送信に対する送達確認信号（ＡＣＫ信号）を送信する共有チャネル（ＡＩＣＨ：Acquisition Indicator Channel）を少なくとも送信している。
【０００７】
図２３は、上記システムの動作の例を示すシーケンス図である。
【０００８】
移動局は、ＢＣＨで送信されるシステム情報に基づいて送受信を行い、所定の周期でＣＰＩＣＨを受信して同期確保、並びにＣＰＩＣＨの受信電力を測定している（Ｓｔｅｐ  １−１）。そして、移動局は、ＢＣＨで通知されたＲＡＣＨ送信電力情報とＣＰＩＣＨ受信電力とに基づきランダムアクセスチャネル（ＲＡＣＨ：Random Access Channel）ＲＡＣＨ―１でプリアンブルを送信する（Ｓｔｅｐ  １−２）。
【０００９】
ここで、基地局がＲＡＣＨ―１を検出できない場合、基地局はＡＩＣＨでＡＣＫを送信せずにＮＡＣＫを送信する（Ｓｔｅｐ  １−３）。
【００１０】
すると、移動局は、ＲＡＣＨ送信電力情報に含まれるpower ramping step sizeだけ送信電力を上げてＲＡＣＨ―２を送信する（Ｓｔｅｐ  １−４）。
【００１１】
基地局は、ＲＡＣＨ―２を検出すると、ＡＣＫを送信する（Ｓｔｅｐ  １−５）。
【００１２】
移動局は、送達確認を受信すると（受信した後）、RACH message partで送信遅延推測情報を送信する（Ｓｔｅｐ  １−６）。
【００１３】
基地局は、BCHのRACH送信電力情報を、送信遅延推測情報を基にして修正して送信する（Ｓｔｅｐ  １−７）。
【００１４】
図２４は、上記システムにおける他の動作の例を示すシーケンス図である。
【００１５】
移動局は、ＢＣＨで送信されるシステム情報に基づいて送受信を行う。また、所定の周期でＣＰＩＣＨを受信して同期確保、並びにＣＰＩＣＨの受信品質を測定している（Ｓｔｅｐ  ２−１）。
【００１６】
移動局は送信すべきユーザデータや制御信号が発生すると、上り回線無線チャネルの一つであるランダムアクセスチャネル（ＲＡＣＨ：Random Access Channel）を用いて送信遅延推測情報を送信する（Ｓｔｅｐ  ２−２）。このときＲＡＣＨの送信電力はＢＣＨで基地局が指示する値に基づいて決定する。
【００１７】
基地局は、移動局のＲＡＣＨを検出できない場合、基地局はＡＩＣＨでＡＣＫを送信しない（Ｓｔｅｐ  ２−３）。また、基地局は、ＲＡＣＨを検出した場合、基地局はＡＩＣＨでＡＣＫを送信する（Ｓｔｅｐ  ２−５）。
【００１８】
移動局は、ＲＡＣＨでプリアンブルを送信すると、所定時間後にＡＩＣＨでランダムアクセス応答を受信し、自局が送信したプリアンブルが正しく受信されたことを示す送達確認信号（ＡＣＫ信号）を受信するまで、所定のタイミングで送信遅延推測情報を再送する（Ｓｔｅｐ  ２−４）。
【００１９】
このような処理を行うことにより、基地局はRACHで送信されるデータまたはプリアンブルが正しく受信されるまでに要した遅延が適切な値に制御されるよう、ＢＣＨで指示するＲＡＣＨの送信電力に関する情報を制御できるようになり、データ送信遅延を効果的に低減しつつ、移動局の送信電力を出来るだけ低くすることにより干渉を削減できる。
【先行技術文献】
【特許文献】
【００２０】
【特許文献１】国際公開番号ＷＯ２００７／０５２７５３パンフレット
【発明の概要】
【発明が解決しようとする課題】
【００２１】
上述した関連技術は、ＲＡＣＨを送信するすべての移動局が送信遅延推測情報を送信している。
【００２２】
しかし、すべての移動局が送信遅延推測情報を送信するため、多くの無線リソースを必要とする。特に、プリアンブルと共に送信遅延推測情報を送信する場合には、RACHが検出されない場合も常に送信しているため、無線リソースの過剰な消費につながる。
【００２３】
そこで、本発明は上記課題に鑑みて発明されたものであって、その目的は無線リソースの消費を低減し、送信遅延推測情報を送信する無線通信の技術を提供することにある。
【課題を解決するための手段】
【００２４】
本発明は、移動局と基地局を有する無線通信システムであって、前記移動局が、ランダムアクセスチャネルでプリアンブルの送信を開始してから、前記プリアンブルに対応するインデックスを含むランダムアクセス応答を受信するまでに要した前記プリアンブルの送信回数を、前記基地局へ送信する手段を有し、前記基地局が、前記移動局に対して前記プリアンブルの送信回数の報告を要求する報告要求（Report request）を送信する手段を有し、前記基地局が検出した前記プリアンブルを送信した前記移動局に、個別で、前記プリアンブルの送信回数の報告を要求し、前記移動局が前記報告要求に応答して、前記プリアンブルの送信回数を前記基地局へ送信することを特徴とする無線通信システムである。
【００２５】
本発明は、ランダムアクセスチャネルでプリアンブルを送信する手段と、前記プリアンブルの送信を開始してから前記プリアンブルに対応するインデックスを含むランダムアクセス応答を受信するまでに要した前記プリアンブルの送信回数を、基地局に報告する手段と、前記基地局から報告要求を受信する手段と、を有し、前記ランダムアクセス応答を受信した後に、前記報告要求を受信した場合、前記プリアンブルの送信回数を前記基地局へ報告する、移動局である。
【００２６】
本発明は、移動局からランダムアクセスチャネルで送信されるプリアンブルを検出す手段能と、検出した前記プリアンブルを送信した前記移動局に、前記プリアンブルに対応するインデックスを含むランダムアクセス応答を送信する手段と、前記プリアンブルの送信を開始してから前記ランダムアクセス応答を受信するまでに要した前記プリアンブルの送信回数の報告を前記移動局に要求する手段と、を有し、前記プリアンブルの送信回数の報告要求を前記移動局毎に個別に行い、前記移動局から前記プリアンブルの送信回数を受信することを特徴とする基地局である。
【００２７】
本発明は、移動局と基地局を有する無線通信システムにおける方法であって、前記移動局が、ランダムアクセスチャネルでプリアンブルの送信を開始してから、前記プリアンブルに対応するインデックスを含むランダムアクセス応答を受信するまでに要した前記プリアンブルの送信回数を、前記基地局へ送信するステップと、前記基地局が、前記移動局に対して前記プリアンブルの送信回数の報告を要求する報告要求（Report request）を送信するステップと、前記基地局が検出した前記プリアンブルを送信した前記移動局に、個別で、前記プリアンブルの送信回数の報告を要求するステップと、前記移動局が前記報告要求に応答して、前記プリアンブルの送信回数を前記基地局へ送信するステップと、からなる無線通信方法である。
【発明の効果】
【００２８】
本発明は、従来に比べて、送信遅延推測情報を送信する無線リソースを低減することができる。
【図面の簡単な説明】
【００２９】
【図１】図１は本発明の概要を説明する為の図である。
【図２】図２は無線通信ネットワークシステム１と通信装置２１〜２３との具体的な構成図である。
【図３】図３は無線通信ネットワークシステム１と通信装置２１〜２３との具体的な構成図である。
【図４】図４は無線通信ネットワークシステム１と通信装置２１〜２３との具体的な構成図である。
【図５】図５は本発明の適用されるシステムの概念図である。
【図６】図６は本実施の形態における移動局の構成図である。
【図７】図７は本実施の形態における基地局の構成図である。
【図８】図８は送信遅延推測情報送信条件を全ての移動局に共通に適用する場合のシーケンス図である。
【図９】図９は送信遅延推測情報送信条件を適用する移動局を個別選択的に適用する場合のシーケンス図である。
【図１０】図１０は送信遅延推測情報送信条件を全ての移動局に共通に適用する場合の他のシーケンス図である。
【図１１】図１１は本実施の形態における移動局の動作フローチャートである。
【図１２】図１２は本実施の形態における移動局の他の動作フローチャートである。
【図１３】図１３は本実施の形態における各チャネルと３ＧＰＰ  ＬＴＥのシステムにおける各チャネルとの対応を説明する為の図である。
【図１４】図１４は実施例１を説明する為の図である。
【図１５】図１５は実施例２を説明する為の図である。
【図１６】図１６は実施例３を説明する為の図である。
【図１７】図１８は実施例５を説明する為の図である。
【図１８】図１８は実施例５を説明する為の図である。
【図１９】図１９は実施例６を説明する為の図である。
【図２０】図２０は実施例６を説明する為の図である。
【図２１】図２１は実施例６を説明する為の図である。
【図２２】図２２は本発明に関連する特許文献１が適用されるシステムの概念図である。
【図２３】図２３は特許文献１が適用されるシステムのシーケンス図である。
【図２４】図２４は特許文献１が適用されるシステムの他のシーケンス図である。
【発明を実施するための形態】
【００３０】
本発明の概要を説明する。
【００３１】
図１は本発明の概要を説明する為の図である。
【００３２】
図１に示す如く、通信装置２１〜２３は無線通信ネットワークシステム１で管理される。従来では、RACHを送信する全ての通信装置２１〜２３は、送信遅延推測情報を無線通信ネットワークシステム１に送信したが、本発明では、通信装置２１〜２３は、送信遅延推測情報を送信する送信遅延推測情報送信条件に合致した場合に、送信遅延推測情報を無線通信ネットワークシステム１に送信する。
【００３３】
ここで、無線通信ネットワークシステム１と通信装置２１〜２３との具体的な構成であるが、例えば、３ＧＰＰの場合では、図２に示す如く、無線通信ネットワークシステム１がRNC (Radio Network Controller)とBTS (Base Transceiver Station)とに対応し、通信装置２１〜２３がMS (Mobile Station)に対応する。また、無線通信ネットワークシステム１がeNode-Bに対応し、通信装置２１〜２３がUE (User Equipment)に対応する場合もある。また、無線通信ネットワークシステム１がCN (Core Network)とeNode-Bとに対応し、通信装置２１〜２３がUE (User Equipment)に対応する場合もある。
【００３４】
WiMAXの場合は、図３に示す如く、無線通信ネットワークシステム１がBS (Base Station)に対応し、通信装置２１〜２３がMS (Mobile Station)に対応する。また、無線通信ネットワークシステム１がASN GW (Access Service Network Gate Way)とBS (Base Station)とに対応し、通信装置２１〜２３がMS (Mobile Station)に対応する場合もある。また、無線通信ネットワークシステム１がCSN (Connectivity Service Network)とASN (= ASN+BS)とに対応し、通信装置２１〜２３がMS (Mobile Station)に対応する場合もある。
【００３５】
無線ＬＡＮの場合は、図４に示す如く、無線通信ネットワークシステム１がAP (Access Point)に対応し、通信装置２１〜２３がWT(Wireless Terminal)に対応する。また、無線通信ネットワークシステム１がServerとAP (Access Point)とに対応し、通信装置２１〜２３がWT(Wireless Terminal)に対応する場合もある。
【００３６】
尚、以下の説明では、無線通信ネットワークシステム１を基地局として、通信装置２１〜２３を移動局として説明する。
【００３７】
ここで、送信遅延推測情報送信条件の照合のタイミングであるが、関連技術で述べたように、送達確認信号の受信に関係なく、アクセス信号（データ又はプリアンブル等）を送信する場合に送信遅延推測情報送信条件を照合しても良いし、送達確認信号の受信を受けて送信遅延推測情報送信条件を照合しても良く、または、これらには限られない。すなわち、送達確認信号に関係なく、アクセス信号（データ又はプリアンブル等）を送信する場合に送信遅延推測情報を送信するシステムでは、送信遅延推測情報送信条件に合致した場合に送信遅延推測情報を送信する。また、送達確認信号の受信を受けて送信遅延推測情報を送信するシステムでは、送達確認信号の受信判定後、更に、送信遅延推測情報送信条件に合致した場合に送信遅延推測情報を送信する。
【００３８】
また、送信遅延推測情報とは、例えば、アクセス信号（データ又はプリアンブル等）の送信回数又は再送回数、あるいはアクセス信号の初回送信時からの経過時間、あるいはアクセス信号の初回送信時のタイミング、あるいはアクセス信号の送信に要したback-off期間、あるいはアクセス信号の送信に要した期間からback-off期間を引いた値、あるいはアクセス信号の送信に要したpower ramping回数、あるいはアクセス信号の送信に要したpower ramping cycleの回数等である。
【００３９】
なお、上記の送信遅延推測情報の値は、実際の値そのものでもよいし、予め閾値と対応するインデックスを示したテーブルを用意しておき、そのインデックスで通知してもよい。
【００４０】
また、送信遅延推測情報送信条件とは、通信装置から無線通信ネットワークシステムへのアクセス信号の送信に対する確認応答を受信するまでの該アクセス信号の再送回数あるいは送信回数、該アクセス信号の送信に対する確認応答を受信するまでの経過時間、該アクセス信号の送信電力、無線ネットワークシステムから通信装置への信号の伝搬路損（パスロス）あるいは受信品質、送信遅延推測情報を送信するターゲットの確率、通信装置の識別情報、該アクセス信号のtraffic、該アクセス信号の用途、アクセス信号を送信してから送達確認信号を受信するまで（例えば、最初にＲＡＣＨを送信してからＲＡＣＨが受信されるまで）の経過時間等に関する条件である。
【００４１】
例えば、送信遅延推測情報送信条件を、送達確認信号を受信するまでのアクセス信号の再送回数が４回以上とした場合を想定する。このとき、通信装置２１ではアクセス信号の再送回数が５回、通信装置２２ではアクセス信号の再送回数が２回、通信装置２３ではアクセス信号の再送回数が４回であった場合、通信装置２１及び通信装置２３は送達確認信号を受信するまでのアクセス信号の再送回数が４回以上とした送信遅延推測情報送信条件に合致するので、送信遅延推測情報を無線通信ネットワークシステム１に送信する。しかし、通信装置２２は送信遅延推測情報送信条件に合致しないので、送信遅延推測情報を無線通信ネットワークシステム１に送信しない。
【００４２】
従来では、送達確認信号（ＡＣＫ信号）を受信した時点で、全ての通信装置２１〜２３が送信遅延推測情報を送信しているが、本発明では、送信遅延推測情報送信条件に合致する通信装置２１及び通信装置２３が送信遅延推測情報を無線通信ネットワークシステム１に送信する。すなわち、従来に比べて、送信遅延推測情報を送信する無線リソースを２／３に低減することができる。
【００４３】
尚、送信遅延推測情報送信条件は、各通信装置に予め設定しておいても良いし、無線通信ネットワークシステム１から通信装置に条件を送信して通信装置が設定するようにしても良い。複数の送信遅延推測情報送信条件が規定されていて各通信装置に予め設定しておき、すべてを使用せずにそのうち１つ以上を利用する場合には、利用した送信遅延推測情報送信条件を送信遅延推測情報と同時あるいは別に無線通信ネットワークシステムへ通知する。
【００４４】
また、送信遅延推測情報送信条件を適用する通信装置であるが、無線通信ネットワークシステム１が管理する全ての通信装置に共通に適用しても良いし、ある条件に合う通信装置だけに共通に適用しても良いし、無線通信ネットワークシステム１が指定する通信装置に個別に適用しても良い。
【００４５】
以下、詳細に実施の形態を説明する。尚、本実施の形態では、現在、検討中の３ＧＰＰＬＴＥのシステムを仮定して説明する。
【００４６】
図５は、本発明の適用されるシステムの概念図である。本システムでは、複数の基地局が隣接して存在し、各基地局には複数の移動局が下り回線や上り回線のデータ送受信を行っており、下り回線はＯＦＤＭ(Orthogonal Frequency Division Multiple Access)、上り回線はＳＣ−ＦＤＭＡを用いている。尚、ここでは、上り回線をＳＣ−ＦＤＭＡとするが、ＯＦＤＭでも適用できる。また、移動局及び基地局は、それぞれのメモリに格納された制御プログラムによって、以下に説明する各機能を実現する。
【００４７】
基地局は下り回線において、システム情報など報知情報を送信する報知チャネル、パイロット信号（リファレンス信号とも呼ぶ）を送信する共通パイロットチャネル、上り回線におけるデータ送信に対する送達確認情報などを送信する共有チャネルを少なくとも送信している。
【００４８】
次に、上述のシステムにおける移動局の構成を図６に示す。
【００４９】
本実施の形態における移動局は、下り回線の信号を受信し、ＦＦＴ(Fast Fourier Transform)などの必要な受信処理を行う受信処理部１１と、受信した信号から各チャネルに分離をする信号分離部１２と、分離したパイロット信号の電力強度を測定するパイロット信号測定部１３と、ランダムアクセスチャネルの送信電力を算出する送信電力算出部１４、共有チャネルで受信した送達確認信号を判定する送達確認信号判定部１５と、送信遅延推測情報を生成する送信遅延推測情報生成部１６と、バッファ１７と、上り回線のデータと制御信号を合成する信号合成部１８と、信号の送信に必要な処理を行う送信処理部１９と、送信遅延推測情報送信条件の判定を行う送信判定部２０とからなる。
【００５０】
信号分離部１２は、受信処理を施した信号から各チャネルの信号を分離し、共通パイロットチャネルの信号をパイロット信号測定部１３へ、共有チャネルの信号を送達確認信号判定部１５へ、報知チャネルの信号を電力算出部１４へ送る。
【００５１】
パイロット信号測定部１３は、所定の周期でパイロット信号の平均受信電力を測定し、送信電力算出部１４へ送る。
【００５２】
送信電力算出部１４は、報知チャネルで通知される共通パイロットチャネルの送信電力、電力オフセットと、パイロット信号の平均受信電力から、ランダムアクセスチャネルの送信電力を計算し、送信処理部１９へ通知する。
【００５３】
送達確認信号判定部１５は、送達確認情報として送達確認信号を受信したか否かを判定し、送信遅延推測情報生成部１６ならびにバッファ１７へ通知する。
【００５４】
送信遅延推測情報生成部１６は、定められた送信遅延推測情報（アクセス信号の送信回数又は再送回数等）を生成し、送信判定部２０へ通知する。
【００５５】
送信判定部２０は、移動局が送信遅延推測情報送信条件に合致しているかを判定し、合致していれば、信号合成部１８へ送る。
【００５６】
バッファ１７は、送達確認信号を受信すると該当するデータを破棄し、受信しなかった場合は該当するデータを信号合成部１８へ送る。
【００５７】
信号合成部１８は、バッファから送られたデータと送信回数情報を合成し、送信処理部１９へ送る。
【００５８】
続いて、上述のシステムにおける基地局の構成を図７に示す。
【００５９】
本実施の形態における基地局は、受信処理部２１と、復号部２２と、誤り判定部２３と、信号を分離する信号分離部２４と、送信遅延推定部２５と、電力オフセット制御部２６と、制御信号生成部２７と、信号合成部２８と、送信処理部２９とからなる。
【００６０】
誤り判定部２３は、データと送信回数情報を含むデータブロックに付加されているＣＲＣでデータブロックに誤りがないか否かを確認し、誤りなく受信できた場合は信号合成部２８へ送達確認信号を、信号分離部２４へデータブロックを送る。
【００６１】
信号分離部２４は、送信遅延推測情報を送信遅延推定部２５へ、データを上位レイヤーへ送る。
【００６２】
送信遅延推定部２５では、各移動局の送信遅延推測情報を収集して図示しないメモリに記録しておく。
【００６３】
電力オフセット制御部２６では、送信遅延推測情報に基づいて、電力オフセットを更新し、更新結果を信号合成部２８へ送る。
【００６４】
制御信号生成部２７は、共通パイロット信号や、その他のシステム制御情報に関する信号を生成し、信号合成部２８へ送る。
【００６５】
信号合成部２８は、送られてきた信号を共通パイロットチャネル、報知チャネル、共有チャネルの各チャネルにマッピングし、符号多重、空間多重、時間多重又は周波数多重して送信処理部２９へ送る。
【００６６】
なお、本実施形態では、送信遅延推測情報を用いてRACHの送信電力オフセットを制御しているが、それ以外にもRACHのback-offパラメータの制御など、その他RACHの送信パラメータの制御にも利用できる。
【００６７】
続いて、上述したシステムにおける移動局と基地局と間の動作を説明する。図８は、上記システムにおいて、送信遅延推測情報送信条件を全ての移動局に共通に適用する場合のシーケンス図である。
【００６８】
まず、移動局は、報知チャネルで送信されるシステム情報に基づいて送受信を行う。また、所定の周期で共通パイロットチャネルを受信して下り回線の同期確保、並びに共通パイロットチャネルの受信品質を測定している（Ｓｔｅｐ１０）。
【００６９】
移動局は送信すべきユーザデータや制御信号（以後、まとめてデータと呼ぶ）が発生すると、無線チャネルの一つであるランダムアクセスチャネルでプリアンブルを送信する（Ｓｔｅｐ１１）。このとき、ランダムアクセスチャネルの送信電力は報知チャネルで基地局が指示する値に基づいて決定する。
【００７０】
基地局は、正しく受信できたプリアンブルのインデックス（送達確認信号）を、共有チャネルで通知する（Ｓｔｅｐ１２、Ｓｔｅｐ１４）。
【００７１】
移動局は、ランダムアクセスチャネルでプリアンブルを送信すると、所定時間後に共有チャネルで送達確認信号を含むＲＡ  Ｒｅｓｐｏｎｓｅにより、自局が送信したプリアンブルが正しく受信されたことを示す送達確認信号を受信するか、所定の最大送信回数に到達するまで、所定のタイミングでプリアンブルを再送する（Ｓｔｅｐ１３）。そして、移動局は共有チャネルで送信されるランダムアクセス応答（ＲＡ  Ｒｅｓｐｏｎｓｅ）により、送達確認信号を受信した後に、データあるいは制御信号を送信する。このとき、本発明では、移動局が送信遅延推測情報の送信条件を満たしているかの判定を行う。満たしている場合には、その移動局はデータあるいは制御信号と共に送信遅延推測情報を基地局に送信する（Ｓｔｅｐ１５）。移動局が送信遅延推測情報送信条件を満たしていない場合には、その移動局はデータあるいは制御信号のみを基地局に送信する（Ｓｔｅｐ１５）。
【００７２】
尚、図８のシーケンス図では、移動局Ａが送信遅延推測情報送信条件を満たしているので、移動局Ａはデータと共に送信遅延推測情報を基地局に送信しており、一方、移動局Ｂは送信遅延推測情報送信条件を満たしていないので、データのみを基地局に送信している状態を示している。
【００７３】
次に、送信遅延推測情報送信条件を適用する移動局を個別選択的に適用する場合について説明する。図９は、上記システムにおいて、送信遅延推測情報送信条件を適用する移動局を個別選択的に適用する場合のシーケンス図である。
【００７４】
図９のシーケンス図が図８と異なる所は、基地局がプリアンブルを正しく受信した場合、送信遅延推測情報送信条件を適用する移動局に対して、共有チャネルで送信されるＲＡ  Ｒｅｓｐｏｎｓｅで送達確認信号と共に報告要求（Ｒｅｐｏｒｔ  ｒｅｑｕｅｓｔ）を送信し（Ｓｔｅｐ２０)、これを受信した移動局は送信遅延推測情報送信条件に合致しているかを判断し、合致している場合にはデータと共に送信遅延推測情報を基地局に送信する（Ｓｔｅｐ１５）所である。
【００７５】
なお、個別制御の場合のＲｅｐｏｒｔ  ｒｅｑｕｅｓｔの送信は、必ずしもＲＡ  Ｒｅｓｐｏｎｓｅである必要はなく、それ以降の基地局から移動局への下り信号で通知してもよい。例えば、ＬＴＥに採用されているＣｏｎｔｅｎｔｉｏｎ  Ｒｅｓｏｌｕｔｉｏｎのための下り信号や、Ｃｏｎｔｅｎｔｉｏｎ  Ｒｅｓｏｌｕｔｉｏｎ後の下り信号などが考えられる。
【００７６】
図１０は送信遅延推測情報送信条件を全ての移動局に共通に適用する場合の他のシーケンス図である。図１０のシーケンスが、上述した図８、９のシーケンスと異なるところは、移動局が送達確認信号の受信とは関係なく、送信遅延推測情報送信条件が合致していれば、送信遅延推測情報を送信する所である。
【００７７】
まず、移動局は、報知チャネルで送信されるシステム情報に基づいて送受信を行う。また、所定の周期で共通パイロットチャネルを受信して同期確保、並びに共通パイロットチャネルの受信品質を測定している（Ｓｔｅｐ３０）。
【００７８】
移動局Ａ，Ｂは送信すべきユーザデータや制御信号が発生すると、無線チャネルの一つであるランダムアクセスチャネルでデータとプリアンブルとを送信する（Ｓｔｅｐ３１）。このとき、送信遅延推測情報送信条件に合致していれば、送信遅延推測情報も送信する。
【００７９】
移動局Ａ，Ｂは、所定時間後に共有チャネルで送信されるＲＡ  Ｒｅｓｐｏｎｓｅで、自局が送信したプリアンブルが正しく受信されたことを示す送達確認信号（自局のプリアンブルインデックス）を受信するまで、所定のタイミングでプリアンブルを再送する（Ｓｔｅｐ３２、３３）。
【００８０】
ここで、移動局Ａは２回目のプリアンブルの送信時に、送信遅延推測情報送信条件に合致しているので、送信遅延推測情報を、データ及びプリアンブルと共に基地局に送信している（Ｓｔｅｐ３３）。これに対して、移動局Ｂは２回目のプリアンブルの送信時には、送信遅延推測情報送信条件に合致していないので、データ及びプリアンブルのみを基地局に送信している（Ｓｔｅｐ３３）。
【００８１】
基地局は、正しく受信できたプリアンブルのインデックス（送達確認信号）を、共有チャネルで通知する（Ｓｔｅｐ３２、Ｓｔｅｐ３４）。
【００８２】
移動局Ａは、自局のプリアンブルインデックスを受信すると、データを基地局に送信する（Ｓｔｅｐ３５）。これに対して、移動局Ｂは、自局のプリアンブルインデックスを受信できなかったので、３回目のプリアンブルの送信を実行するが、３回目のプリアンブルの送信時には送信遅延推測情報送信条件に合致しているので、送信遅延推測情報を、データ及びプリアンブルと共に基地局に送信する（Ｓｔｅｐ３５）。
【００８３】
移動局Ｂは、自局のプリアンブルインデックスを受信すると（Ｓｔｅｐ３６）、データを基地局に送信する（Ｓｔｅｐ３７）。
【００８４】
尚、上述した図１０の例は、送信遅延推測情報送信条件を全ての移動局に共通に適用する場合の例であるが、図９のような個別適用についても同様である。この場合、基地局から共有チャネルで送信されるＲＡ  Ｒｅｓｐｏｎｓｅで報告要求（Ｒｅｐｏｒｔ  ｒｅｑｕｅｓｔ）を送信し、要求を受けた移動局が送信遅延推測情報送信条件に合致していれば、送信遅延推測情報を送信する。
【００８５】
次に、本実施の形態における移動局の動作について説明する。本動作は、移動局が送達確認信号を受信した後に、移動局が送信遅延推測情報の送信条件を満たしているかの判定を行う動作である。図１１は本実施の形態における移動局の動作フローチャートである。
【００８６】
移動局は、報知チャネルで送信されるシステム情報を受信し（Ｓｔｅｐ１００）、所定の周期で共通パイロットチャネルを受信して下り信号の同期確保、並びに共通パイロットチャネルの受信電力を測定する（Ｓｔｅｐ１０１）。
【００８７】
移動局は送信すべきデータが発生すると（Ｓｔｅｐ１０２）、送信回数を１に設定し（Ｓｔｅｐ１０３）、ＲＡＣＨの送信電力を算出する（Ｓｔｅｐ１０４）。そして、ＲＡＣＨでプリアンブルを送信する（Ｓｔｅｐ１０５）。
【００８８】
移動局は所定時間後に共有チャネルで送信されるＲＡ  Ｒｅｓｐｏｎｓｅを受信し（Ｓｔｅｐ１０６）、送達確認信号が受信できたかの判定を行う（Ｓｔｅｐ１０７）。送達確認信号が受信できない場合には、プリアンブルの送信回数が最大送信回数かの判定を行う（Ｓｔｅｐ１０８）。送信回数が最大送信回数であれば、Ｓｔｅｐ１００に戻る。送信回数が最大送信回数でなければ、送信回数に１を加算し（Ｓｔｅｐ１０９）、Ｓｔｅｐ１０４に戻る。
【００８９】
一方、移動局が送達確認信号を受信した場合には、移動局が送信遅延推測情報の送信条件を満たしているかの判定を行う（Ｓｔｅｐ１１０）。移動局が送信遅延推測情報の送信条件を満たしている場合には、データと共に送信遅延推測情報を基地局に送信する（Ｓｔｅｐ１１１）。また、移動局が送信遅延推測情報の送信条件を満たしていない場合には、データのみを基地局に送信する（Ｓｔｅｐ１１２）。
【００９０】
続いて、本実施の形態における移動局の他の動作について説明する。本動作は、送達確認信号の受信にかかわらず、移動局がＲＡＣＨのプリアンブル送信時に送信遅延推測情報の送信条件を満たしているかの判定を行う動作である。図１２は本実施の形態における移動局の他の動作フローチャートである。
【００９１】
図１１と異なる所は、ＲＡＣＨの送信電力を算出（Ｓｔｅｐ１０４）した後、ＲＡＣＨでプリアンブルを送信（Ｓｔｅｐ１０５）する前に、移動局が送信遅延推測情報の送信条件を満たしているかの判定を行う（Ｓｔｅｐ２００）。そして、移動局が送信遅延推測情報の送信条件を満たしている場合には、プリアンブル及びデータと共に送信遅延推測情報を基地局に送信する（Ｓｔｅｐ２０１）。一方、移動局が送信遅延推測情報の送信条件を満たしていない場合には、プリアンブル及びデータのみを基地局に送信する（Ｓｔｅｐ２０２）。
【００９２】
他のステップは、図１１と同様なので、説明は省略する。
【００９３】
尚、上述の説明では、各チャネルの説明を一般的な名称で記載したが、３ＧＰＰ  ＬＴＥのシステムにおけるＵＥ（移動局）とｅＮｏｄｅＢ（基地局）との間の具体的なチャネルは、図１３に示すようになる。
【００９４】
すなわち、ｅＮｏｄｅＢ（基地局）からＵＥ（移動局）に、ランダムアクセスパラメータや条件、状況を通知する報知チャネルは、Logical層ではＢＣＣＨ、Transport層ではＢＣＨ又はＤＬ―ＳＣＨである。また、ＵＥ（移動局）からｅＮｏｄｅＢ（基地局）に、ランダムアクセスするチャネルは、Transport層ではＲＡＣＨである。また、ｅＮｏｄｅＢ（基地局）からＵＥ（移動局）に、ランダムアクセス応答するチャネルは、Logical層ではＣＣＣＨ、Transport層ではＤＬ―ＳＣＨである。また、また、ＵＥ（移動局）からｅＮｏｄｅＢ（基地局）に、送信遅延推測情報を通知するチャネルは、Logical層ではＣＣＣＨ又はＤＣＣＨ、Transport層ではＵＬ―ＳＣＨである。
【００９５】
尚、上述した移動局及び基地局では各部をハードウェアで構成したが、その一部又は全部をプログラムで動作するＣＰＵで構成することもできる。
【００９６】
次に、本発明の具体的な実施例を説明する。
【実施例１】
【００９７】
実施例１は、送信遅延推測情報送信条件が移動局のアクセス信号の送信回数であり、報知チャネルで通知される場合について説明する。尚、以下の説明では、送達確認の受信後、移動局のアクセス信号の送信回数がＮ＝４より大きい、または、Ｍ＝２未満の場合に、移動局が送信遅延推測情報を送信する例を説明する。
【００９８】
図１４は実施例１を説明する為の図である。
【００９９】
まず、基地局は、移動局Ａ，Ｂ，Ｃに対して、報知チャネル及び共通パイロットチャネルを送信する。
【０１００】
移動局Ａ，Ｂ，Ｃは送信すべきデータが発生すると、無線チャネルの一つであるランダムアクセスチャネルでプリアンブルを送信する。
【０１０１】
基地局は、正しく受信できたプリアンブルのインデックス（送達確認信号）を、共有チャネルで通知する。このとき、移動局Ｃは、プリアンブルの送信回数が１回で送達確認が検出されたので、送信回数がＮ＝４より大きい、または、Ｍ＝２未満という送信遅延推測情報送信条件に合致する。そこで、移動局Ｃは、送信遅延推測情報を基地局に送信する。
【０１０２】
送達確認を得られない移動局Ａ，Ｂは、ランダムアクセスチャネルでプリアンブルを送信する。すると、移動局Ｂは、プリアンブルの送信回数が２回で送達確認が検出されたので、送信回数がＮ＝４より大きい、または、Ｍ＝２未満という送信遅延推測情報送信条件に合致しない。従って、移動局Ｂは、送信遅延推測情報は基地局に送信しない。
【０１０３】
送達確認を得られない移動局Ａは、ランダムアクセスチャネルでプリアンブルを送信する。すると、移動局Ａは、プリアンブルの送信回数が５回で送達確認が検出されたので、送信回数がＮ＝４より大きい、または、Ｍ＝２未満という送信遅延推測情報送信条件に合致する。そこで、移動局Ａは、送信遅延推測情報を基地局に送信する。
【０１０４】
このように、送信遅延推測情報を全ての移動局が送信する従来に比べて、送信遅延推測情報を送信する移動局数を２／３に低減することができる。
【実施例２】
【０１０５】
実施例２は、送信遅延推測情報送信条件が移動局のアクセス信号の送信回数であり、報知チャネルで通知され、かつ、個別制御であるReport Requestを受信した移動局である場合について説明する。尚、以下の説明では、送達確認の受信後、移動局のアクセス信号の送信回数がＮ＝４より大きい、または、Ｍ＝２未満であり、かつ、Report Requestを受信した移動局が、送信遅延推測情報を送信する例を説明する。
【０１０６】
図１５は実施例２を説明する為の図である。
【０１０７】
まず、基地局は、移動局Ａ，Ｂ，Ｃに対して、報知チャネル及び共通パイロットチャネルを送信する。
【０１０８】
移動局Ａ，Ｂ，Ｃは送信すべきデータが発生すると、無線チャネルの一つであるランダムアクセスチャネルでプリアンブルを送信する。
【０１０９】
基地局は、正しく受信できたプリアンブルのインデックス（送達確認信号）を、共有チャネルで通知する。このとき、移動局Ｃは、プリアンブルの送信回数が１回で送達確認が検出されたので、送信回数がＮ＝４より大きい、または、Ｍ＝２未満であるが、 Report Requestを受信していない。そこで、移動局Ｃは、送信遅延推測情報は基地局に送信しない。
【０１１０】
送達確認を得られない移動局Ａ，Ｂは、ランダムアクセスチャネルでプリアンブルを送信する。すると、移動局Ｂは、プリアンブルの送信回数が２回で送達確認が検出されたので、送信回数がＮ＝４より大きい、または、Ｍ＝２未満という条件に合致しない。従って、移動局Ｂは、送信遅延推測情報は基地局に送信しない。
【０１１１】
送達確認を得られない移動局Ａは、ランダムアクセスチャネルでプリアンブルを送信する。すると、移動局Ａは、プリアンブルの送信回数が５回で送達確認が検出されたので、送信回数がＮ＝４より大きい、または、Ｍ＝２未満であり、かつ、Report Requestを受信したので、送信遅延推測情報送信条件に合致する。そこで、移動局Ａは、送信遅延推測情報を基地局に送信する。
【０１１２】
このように、送信遅延推測情報を全ての移動局が送信する従来に比べて、送信遅延推測情報を送信する移動局数を１／３に低減することができる。
【０１１３】
なお、実施例２では、送信遅延推測情報送信条件が報知チャネルで通知されるとしたが、Report Requestと共に通知する方法もある。
【実施例３】
【０１１４】
実施例３は、送信遅延推測情報送信条件がランダムアクセスチャネルの送信電力である場合について説明する。尚、以下の説明では、送達確認の受信後、移動局のランダムアクセスチャネルの送信電力が最大値未満の場合に送信遅延推測情報を送信する例を説明する。
【０１１５】
図１６は実施例３を説明する為の図である。
【０１１６】
まず、移動局のランダムアクセスチャネルの送信電力をP_Txとした場合、送信電力をP_Txは、以下の式により制御されるものとする。
P_Tx＝CPICH_Tx―CPICH_Rx＋PO＋ΔP×（送信回数―１）[dBm]
尚、CPICH_Txは共通パイロットチャネルの送信電力であり、CPICH_Rxは共通パイロットチャネルの受信電力であり、POは電力オフセット、ΔPはramping step sizeであり、どちらも移動局間で共通とする。
【０１１７】
ここで、図１６に示される如く、移動局Ａ，Ｂは、ランダムアクセスチャンネルの送信ごとにΔPずつ送信電力P_Txが増加していく。
【０１１８】
この場合において、移動局Ａが送達確認を受信したとき、移動局Ａの送信電力P_Txは最大送信電力である。従って、移動局Ａは、移動局のランダムアクセスチャネルの送信電力が最大未満という送信遅延推測情報送信条件に合致しないので、送信遅延推測情報を基地局に送信しない。
【０１１９】
一方、移動局Ｂが送達確認を受信したとき、移動局Ｂの送信電力P_Txは最大送信電力未満である。従って、移動局Ｂは、移動局のランダムアクセスチャネルの送信電力が最大未満という送信遅延推測情報送信条件に合致するので、送信遅延推測情報を基地局に送信する。
【実施例４】
【０１２０】
実施例４は、送信遅延推測情報送信条件が、基地局が指定するターゲット確率Ｐ（Ｐは0以上１以下の実数）を利用した確率制御である場合について説明する。
【０１２１】
まず、移動局はランダムアクセスチャネルを送信し、送達確認を受信した場合、移動局は０以上１未満の一様分布乱数“ｒａｎｄ“を発生する。“ｒａｎｄ“が確率Ｐよりも大きい場合、送信遅延推測情報とデータを基地局に送信し、そうでなければ送信遅延推測情報は送信せず、データのみ送信する。
【実施例５】
【０１２２】
実施例５は、送信遅延推測情報送信条件がランダムアクセスチャネルのプリアンブルのトラフィク量であり、送信遅延推測情報を送信するかしないかを報知チャネルで通知する場合について説明する。
【０１２３】
本実施例では、基地局がランダムアクセスチャネルのプリアンブルのトラフィク量を監視し、トラフィク量が所定の閾値Ｔを超えた場合、報知チャネルで各移動局に送信遅延推測情報の送信を指示する。
【０１２４】
各移動局は、報知チャネルで送信遅延推測情報の送信の指示を受けると、送達確認信号の受信後、データと共に送信遅延推測情報を送信する。
【０１２５】
次に、実施例５の具体的な動作を、図１７を用いて説明する。図１７は、実施例５の動作を示すシーケンス図である。
【０１２６】
まず、基地局は、移動局Ａ，Ｂ，Ｃに対して、報知チャネル及び共通パイロットチャネルを送信する。
【０１２７】
移動局Ａ，Ｂ，Ｃは送信すべきデータが発生すると、無線チャネルの一つであるランダムアクセスチャネルでプリアンブルを送信する。図１７の例では、移動局Ａ，Ｂがランダムアクセスチャネルでプリアンブルを送信している。
【０１２８】
基地局はランダムアクセスチャネルのプリアンブルのトラフィク量を監視すると共に、基地局は、正しく受信できたプリアンブルのインデックス（送達確認信号）を、共有チャネルで通知する。図１６の例では、移動局Ａは送達確認信号を検出できなかったので、再びランダムアクセスチャネルでプリアンブルを送信する。一方、移動局Ｂは送達確認を検出できたので、データを送信する。また、移動局Ｃは送信すべきデータが発生したので、ランダムアクセスチャネルでプリアンブルを送信している。そして、基地局は、移動局Ａ，Ｃのプリアンブルを検出できなかったので、移動局Ａ，Ｃは送達確認信号を検出できない。
【０１２９】
基地局は、ランダムアクセスチャネルのプリアンブルのトラフィク量の監視の結果、トラフィク量が所定の閾値Ｔを超えた場合、報知チャネルで各移動局に送信遅延推測情報の送信を指示する。送信遅延推測情報の送信の有無の指示は、報知チャネルの送信周期又はその整数倍で行われる。
【０１３０】
報知チャネルで送信遅延推測情報の送信の指示を受けた移動局は、送達確認信号の受信後、データと共に送信遅延推測情報を送信する。図１７の例では、移動局Ａ，Ｃは、送信遅延推測情報の送信指示後に送達確認信号を受信しているので、データと共に送信遅延推測情報を送信する。
【０１３１】
基地局は、ランダムアクセスチャネルのプリアンブルのトラフィク量の監視の結果、トラフィク量が所定の閾値Ｔより小さくなった場合、報知チャネルで各移動局に送信遅延推測情報を送信する必要がないことを通知する。
【０１３２】
送信遅延推測情報の送信の送信する必要がないことを通知された移動局Ａ，Ｂ，Ｃは、送信遅延推測情報を送信しない。
【０１３３】
尚、上述の例では、図１８の例１に示す如く、トラフィク量が所定の閾値Ｔを超えた場合、送信遅延推測情報を送信させる例を説明したが、これに限られない。例えば、図１８の例２のように、上限の閾値と下限の閾値とを設定し、トラフィク量が上限の閾値を超えた場合に送信遅延推測情報を送信させ、トラフィク量が下限の閾値よりも小さくなった場合に送信遅延推測情報を送信させない構成しても良い。
【実施例６】
【０１３４】
実施例６は、送信遅延推測情報送信条件が用途によって判断する場合であり、特に、用途がハンドオーバ（Handover）である場合について説明する。
【０１３５】
図１９は実施例６を説明する為の図である。
【０１３６】
図１９において、端末Ａはセル１に滞在して基地局ａにのみにアクセスしている。この場合、端末Ａは送信遅延推測情報を通知しない。一方、端末Ｂはセル１からセル２にhandoverを行い、基地局ｂにアクセスしている。この場合、端末Ｂは送信遅延推測情報を通知する基地局Ｂに通知する。すなわち、ハンドオーバを行う端末は送信遅延推測情報を通知し、ハンドオーバを行わない端末は送信遅延推測情報を通知しないのである。
【０１３７】
具体的な動作を、図２０を用いて説明する。尚、図１９では、3GPP LTEの場合を想定している。
【０１３８】
まず、ＵＥ  Ｂ（移動局）がｅＮｏｄｅＢ  ａ（基地局ａ）にMeasurement reportを送信する。Measurement reportを受信したＮｏｄｅＢ  ａはＮｏｄｅＢ  ｂにHandover要求を行う。
【０１３９】
Handover要求を受信したＮｏｄｅＢ  ｂは、ＮｏｄｅＢ  ａにHandover要求に対する応答（ACK）を送信する。このとき、ＵＥ  Ｂに送信遅延推測情報を通知させる指示であるReport requestも含めて送信する。
【０１４０】
Handover要求に対する応答（ACK）を受信したＮｏｄｅＢ  ａは、Handover commandをＵＥ  Ｂに送信する。このとき、ＮｏｄｅＢ  ａは、Report requestも含めて送信する。
【０１４１】
Handover commandを受信したＵＥ  Ｂは、ランダムアクセスをＮｏｄｅＢ  ｂに送信する。そして、ランダムアクセスを受信したＮｏｄｅＢ  ｂは、ランダムアクセスに対する応答をＵＥ  Ｂに送信する。
【０１４２】
ランダムアクセスの応答を受信したＵＥ  Ｂは、Handover confirmと送信遅延推測情報とをＮｏｄｅＢ  ｂに送信する。
【０１４３】
続いて、他の具体的な動作を、図２１を用いて説明する。尚、図２１も、3GPP LTEの場合を想定している。
【０１４４】
まず、ＵＥ  Ｂ（移動局）がｅＮｏｄｅＢ  ａ（基地局ａ）にMeasurement reportを送信する。Measurement reportを受信したＮｏｄｅＢ  ａはＮｏｄｅＢ  ｂにHandover要求を行う。
【０１４５】
Handover要求を受信したＮｏｄｅＢ  ｂは、ＮｏｄｅＢ  ａにHandover要求に対する応答（ACK）を送信する。
【０１４６】
Handover要求に対する応答（ACK）を受信したＮｏｄｅＢ  ａは、Handover commandをＵＥ  Ｂに送信する。
【０１４７】
Handover commandを受信したＵＥ  Ｂは、ランダムアクセスをＮｏｄｅＢ  ｂに送信する。そして、ランダムアクセスを受信したＮｏｄｅＢ  ｂは、ランダムアクセスに対する応答をＵＥ  Ｂに送信する。このとき、ＮｏｄｅＢ  ｂは、Report requestも送信する。
【０１４８】
ランダムアクセスの応答を受信したＵＥ  Ｂは、Handover confirmと送信遅延推測情報とをＮｏｄｅＢ  ｂに送信する。
【０１４９】
上記例では、Handover confirmと同時に送信遅延推測情報を送信したが、Handover confirmを送信した後に送信遅延推測情報を送信してもよい。
【０１５０】
以上の如く、本発明の第１の態様は、通信装置と、無線通信ネットワークシステムとを有する無線通信システムであって、送信遅延推測情報の送信条件に合致した場合、通信装置が送信遅延推測情報を無線通信ネットワークシステムに送信する送信遅延推測情報送信部を有する無線通信システムである。
【０１５１】
本発明の第１の態様は、上記態様において、前記送信遅延推測情報送信部は、アクセス信号を送信する際に送信遅延推測情報の送信条件に合致している場合には、送信遅延推測情報を送信する。
【０１５２】
本発明の第３の態様は、上記態様において、前記送信遅延推測情報送信部は、送達確認信号の受信後、送信遅延推測情報の送信条件に合致している場合には、送信遅延推測情報を送信する。
【０１５３】
本発明の第４の態様は、上記態様において、通信装置に対して、送信遅延推測情報を共通で送信させる共通制御部を有する。
【０１５４】
本発明の第５の態様は、上記態様において、通信装置に対して、送信遅延推測情報を個別で送信させる個別制御部を有する。
【０１５５】
本発明の第６の態様は、上記態様において、前記無線通信ネットワークシステムは、少なくとも基地局を有する。
【０１５６】
本発明の第７の態様は、上記態様において、前記送信遅延推測情報の送信条件は、アクセス信号の送信回数に基づく条件である。
【０１５７】
本発明の第８の態様は、上記態様において、前記送信遅延推測情報の送信条件は、アクセス信号の再送回数に基づく条件である。
【０１５８】
本発明の第９の態様は、上記態様において、前記送信遅延推測情報の送信条件は、送信完了時に要した送信電力に基づく条件である。
【０１５９】
本発明の第１０の態様は、上記態様において、前記送信遅延推測情報の送信条件は、前記通信装置に前記送信遅延情報を報告させる報告確率に基づく条件である。
【０１６０】
本発明の第１１の態様は、上記態様において、前記送信遅延推測情報の送信条件は、アクセス信号のトラフィック、又は全てのトラフィックに基づく条件である。
【０１６１】
本発明の第１２の態様は、上記態様において、前記送信遅延推測情報の送信条件は、パスロスに基づく条件である。
【０１６２】
本発明の第１３の態様は、上記態様において、前記送信遅延推測情報の送信条件は、アクセス信号の送信から送達確認信号の受信までの経過時間に基づく条件である。
【０１６３】
本発明の第１４の態様は、上記態様において、前記送信遅延推測情報の送信条件は、アクセス信号の用途に基づく条件である。
【０１６４】
本発明の第１５の態様は、上記態様において、前記送信遅延推測情報の送信条件を、複数組み合わせて用いる。
【０１６５】
本発明の第１６の態様は、上記態様において、前記送信遅延推測情報は、アクセス信号の送信回数又は再送回数、アクセス信号の初回送信時からの経過時間、アクセス信号の初回送信時のタイミング、アクセス信号の送信に要したback-off期間、アクセス信号の送信に要した期間からback-off期間を引いた値、アクセス信号の送信に要したpower ramping回数、アクセス信号の送信に要したpower ramping cycleの回数の少なくともいずれかである。
【０１６６】
本発明の第１７の態様は、送信遅延推測情報の送信条件に合致した場合、送信遅延推測情報を無線通信ネットワークシステムに送信する送信遅延推測情報送信部を有する通信装置である。
【０１６７】
本発明の第１８の態様は、上記態様において、前記送信遅延推測情報送信部は、アクセス信号を送信する際に送信遅延推測情報の送信条件に合致している場合には、送信遅延推測情報を送信する。
【０１６８】
本発明の第１９の態様は、上記態様において、前記送信遅延推測情報送信部は、送達確認信号の受信後、送信遅延推測情報の送信条件に合致している場合には、送信遅延推測情報を送信する。
【０１６９】
本発明の第２０の態様は、上記態様において、前記送信遅延推測情報の送信条件は、アクセス信号の送信回数に基づく条件である。
【０１７０】
本発明の第２１の態様は、上記態様において、前記送信遅延推測情報の送信条件は、アクセス信号の再送回数に基づく条件である。
【０１７１】
本発明の第２２の態様は、上記態様において、前記送信遅延推測情報の送信条件は、送信完了時に要した送信電力に基づく条件である。
【０１７２】
本発明の第２３の態様は、上記態様において、前記送信遅延推測情報の送信条件は、前記通信装置に前記送信遅延情報を報告させる報告確率に基づく条件である。
【０１７３】
本発明の第２４の態様は、上記態様において、前記送信遅延推測情報の送信条件は、アクセス信号のトラフィック、又は全てのトラフィックに基づく条件である。
【０１７４】
本発明の第２５の態様は、上記態様において、前記送信遅延推測情報の送信条件は、パスロスに基づく条件である。
【０１７５】
本発明の第２６の態様は、上記態様において、前記送信遅延推測情報の送信条件は、アクセス信号の送信から送達確認信号の受信までの経過時間に基づく条件である。
【０１７６】
本発明の第２７の態様は、上記態様において、前記送信遅延推測情報の送信条件は、アクセス信号の用途に基づく条件である。
【０１７７】
本発明の第２８の態様は、上記態様において、前記送信遅延推測情報の送信条件を、複数組み合わせて用いる。
【０１７８】
本発明の第２９の態様は、上記態様において、前記送信遅延推測情報は、アクセス信号の送信回数又は再送回数、アクセス信号の初回送信時からの経過時間、アクセス信号の初回送信時のタイミング、アクセス信号の送信に要したback-off期間、アクセス信号の送信に要した期間からback-off期間を引いた値、アクセス信号の送信に要したpower ramping回数、アクセス信号の送信に要したpower ramping cycleの回数の少なくともいずれかである。
【０１７９】
本発明の第３０の態様は、通信装置が送信遅延推測情報の送信条件に合致した場合、送信遅延推測情報を送信する通信システムにおける無線通信ネットワークシステムであって、通信装置に対して、送信遅延推測情報を共通で送信させる共通制御部を有する無線通信ネットワークシステムである。
【０１８０】
本発明の第３１の態様は、通信装置が送信遅延推測情報の送信条件に合致した場合、送信遅延推測情報を送信する通信システムにおける無線通信ネットワークシステムであって、通信装置に対して、送信遅延推測情報を個別で送信させる個別制御部を有する無線通信ネットワークシステムである。
【０１８１】
本発明の第３２の態様は、通信装置は、送信遅延推測情報の送信条件に合致した場合、送信遅延推測情報を無線通信ネットワークシステムに送信する無線通信方法である。
【０１８２】
本発明の第３３の態様は、上記態様において、通信装置は、アクセス信号を送信する際に送信遅延推測情報の送信条件に合致している場合には、送信遅延推測情報を送信する。
【０１８３】
本発明の第３４の態様は、上記態様において、通信装置は、送達確認信号の受信後、送信遅延推測情報の送信条件に合致している場合には、送信遅延推測情報を送信する。
【０１８４】
本発明の第３５の態様は、上記態様において、無線通信ネットワークシステムは、通信装置に対して、送信遅延推測情報を共通で送信させる。
【０１８５】
本発明の第３６の態様は、上記態様において、無線通信ネットワークシステムは、通信装置に対して、送信遅延推測情報を個別で送信させる。
【０１８６】
本発明の第３７の態様は、上記態様において、無線通信ネットワークシステムは、少なくとも基地局を有する。
【０１８７】
本発明の第３８の態様は、上記態様において、前記送信遅延推測情報の送信条件は、アクセス信号の送信回数に基づく条件である。
【０１８８】
本発明の第３９の態様は、上記態様において、前記送信遅延推測情報の送信条件は、アクセス信号の再送回数に基づく条件である。
【０１８９】
本発明の第４０の態様は、上記態様において、前記送信遅延推測情報の送信条件は、送信完了時に要した送信電力に基づく条件である。
【０１９０】
本発明の第４１の態様は、上記態様において、前記送信遅延推測情報の送信条件は、前記通信装置に前記送信遅延情報を報告させる報告確率に基づく条件である。
【０１９１】
本発明の第４２の態様は、上記態様において、前記送信遅延推測情報の送信条件は、アクセス信号のトラフィック、又は全てのトラフィックに基づく条件である。
【０１９２】
本発明の第４３の態様は、上記態様において、前記送信遅延推測情報の送信条件は、パスロスに基づく条件である。
【０１９３】
本発明の第４４の態様は、上記態様において、前記送信遅延推測情報の送信条件は、アクセス信号の送信から送達確認信号の受信までの経過時間に基づく条件である。
【０１９４】
本発明の第４５の態様は、上記態様において、前記送信遅延推測情報の送信条件は、アクセス信号の用途に基づく条件である。
【０１９５】
本発明の第４６の態様は、上記態様において、前記送信遅延推測情報の送信条件を、複数組み合わせて用いる。
【０１９６】
本発明の第４７の態様は、上記態様において、前記送信遅延推測情報は、アクセス信号の送信回数又は再送回数、アクセス信号の初回送信時からの経過時間、アクセス信号の初回送信時のタイミング、アクセス信号の送信に要したback-off期間、アクセス信号の送信に要した期間からback-off期間を引いた値、アクセス信号の送信に要したpower ramping回数、アクセス信号の送信に要したpower ramping cycleの回数の少なくともいずれかである。
【０１９７】
本発明の第４８の態様は、送信遅延推測情報の送信条件に合致した場合、送信遅延推測情報を無線通信ネットワークシステムに送信する処理を通信装置に実行させるプログラムである。
【０１９８】
本発明の第４９の態様は、通信装置が送信遅延推測情報の送信条件に合致した場合、送信遅延推測情報を送信する通信システムにおける無線通信ネットワークシステムのプログラムであって、通信装置に対して、送信遅延推測情報を共通で送信させる処理を、無線通信ネットワークシステムに実行させるプログラムである。
【０１９９】
本発明の第５０の態様は、上記態様において、通信装置が送信遅延推測情報の送信条件に合致した場合、送信遅延推測情報を送信する通信システムにおける無線通信ネットワークシステムのプログラムであって、通信装置に対して、送信遅延推測情報を個別で送信させる処理を、無線通信ネットワークシステムに実行させるプログラムである。
【０２００】
以上好ましい実施の形態、実施例及び態様をあげて本発明を説明したが、本発明は必ずしも上記実施の形態及び態様に限定されるものではなく、その技術的思想の範囲内において様々に変形し実施することが出来る。
【０２０１】
本出願は、２００８年３月７日に出願された日本出願特願２００８−５７７２６号を基礎とする優先権を主張し、その開示の全てをここに取り込む。
【符号の説明】
【０２０２】
１            無線通信ネットワークシステム
２１〜２３      通信装置
１１          受信処理部
１２          信号分離部
１３          パイロット信号測定部
１４          送信電力算出部
１５          送達確認信号判定部
１６          送信遅延推測情報生成部
１７          バッファ
１８          信号合成部
１９          送信処理部
２０          送信判定部
２１          受信処理部
２２          復号部
２３          誤り判定部
２４          信号分離部
２５          送信遅延推定部
２６          電力オフセット制御部
２７          制御信号生成部
２８          信号合成部
２９          送信処理部
【図１】
0005578458.tif 000002
【図２】
0005578458.tif 000003
【図３】
0005578458.tif 000004
【図４】
0005578458.tif 000005
【図５】
0005578458.tif 000006
【図６】
0005578458.tif 000007
【図７】
0005578458.tif 000008
【図８】
0005578458.tif 000009
【図９】
0005578458.tif 000010
【図１０】
0005578458.tif 000011
【図１１】
0005578458.tif 000012
【図１２】
0005578458.tif 000013
【図１３】
0005578458.tif 000014
【図１４】
0005578458.tif 000015
【図１５】
0005578458.tif 000016
【図１６】
0005578458.tif 000017
【図１７】
0005578458.tif 000018
【図１８】
0005578458.tif 000019
【図１９】
0005578458.tif 000020
【図２０】
0005578458.tif 000021
【図２１】
0005578458.tif 000022
【図２２】
0005578458.tif 000023
【図２３】
0005578458.tif 000024
【図２４】
0005578458.tif 000025